(57)【要約】  自転車用カメラ（１０）は自転車（１５）のシートポスト（１４）に装着可能な筐体（１２）を含む。カメラ（２４）は筐体（１２）内に設けられ、テールライト（２６）は筺体（１２）内に設けられ、それによって、筺体（１２）がシートポスト（１４）に固定される時、テールライト（２６）によって自転車（１５）の後方に向けられた照明がもたらされ、カメラ（２４）は画像を撮るために自転車（１５）の後方に向けられる。【選択図】図１
2016511472.tif 000002
【特許請求の範囲】
【請求項１】
自転車のシートポストに装着可能な筐体と、
前記筐体内に設けられたカメラと、
前記筺体内に設けられたテールライトと、を含み、
前記筺体が前記シートポストに固定される時、前記テールライトによって前記自転車の後方に向けられた照明がもたらされ、前記カメラも画像を撮るために前記自転車の後方に向けられる、自転車用カメラ。
【請求項２】
１つまたは複数の表示ライトが前記筐体に設けられることで、前記カメラが記録している時、前記表示ライトが照明する、請求項１に記載の自転車用カメラ。
【請求項３】
前記表示ライトは、前記カメラの周囲に環状に設けられ、円形状パターンで連続的に点滅する、請求項２に記載の自転車用カメラ。
【請求項４】
前記筐体は、使用時に前記シートポストから遠隔に位置付けられる第１の側面と、前記シートポストに隣接して位置付けられる第２の側面とを含み、前記第２の側面は、前記筐体が前記シートポストに固定される時、前記第１の側面が概して垂直になるように、前記第１の側面に対してある角度で方向付けられた部分を含む、請求項１〜３のうちいずれか一項に記載の自転車用カメラ。
【請求項５】
前記第２の側面は、第１の表面部分および第２の表面部分を画定する突出部を含み、前記第１の表面部分は、前記筐体の第１の端壁と第２の端壁との間のある場所に対して隣接した前記筐体の前記第１の端壁から伸長する平面を含み、前記第２の表面部分は、前記第１の表面部分から隣接した前記第２の端壁へ伸長する平面を含む、請求項４に記載の自転車用カメラ。
【請求項６】
前記第１の表面部分および前記第２の表面部分は、前記突出部が概して三角柱の形状になるように、前記第１の側面に対して角度が付けられる、請求項５に記載の自転車用カメラ。
【請求項７】
前記第１の表面部分は前記第２の表面部分より長く、それによって、前記第１の表面部分および前記第２の表面部分の交点は前記第１の端壁より前記第２の端壁２３に近接する、請求項６に記載の自転車用カメラ。
【請求項８】
前記筐体はマウンティングブラケットを備えて前記筐体を前記シートポストに固定し、前記マウンティングブラケットは、前記シートポストの円形状表面を係合するための凸状の第１の側面と、前記筐体の前記第１の表面部分上に設けられた第２のコネクタと係合させるための第１のコネクタを有する対向した第２の側面とを有する部材を含む、請求項５〜７のうちいずれか一項に記載の自転車用カメラ。
【請求項９】
前記第１のコネクタは前記マウンティングブラケットの前記第２の側面上で長手方向に伸長する溝穴を含み、前記第２のコネクタは前記筐体の前記第１の表面部分に装着されるレールを含み、前記レールはその対向した長手方向側部に沿った溝を含んで、前記溝穴の対向した長手方向側部に沿って設けられた内方に面するフランジを受ける、請求項８に記載の自転車用カメラ。
【請求項１０】
前記マウンティングブラケットはその前記第２の側面から外方に伸長するつめを備え、複数のストラップが設けられ、それぞれがその長さに沿って開口部を含み、それによって、各ストラップの一番端の開口部は前記つめのうちの１つに係合可能であり、次いで前記ストラップは前記シートポストに巻き付けられて、前記マウンティングブラケットの反対側で前記つめのうちの１つに係合する、請求項９に記載の自転車用カメラ。
【請求項１１】
前記ストラップは、前記シートポストの周りで引き伸ばされて前記マウンティングブラケットを堅固に係合させることができるように、弾性材料から形成される、請求項１０に記載の自転車用カメラ。
【請求項１２】
弾力的な弓形パッドは、前記マウンティングブラケットの前記第１の側面上に置かれるように設けられる、請求項１１に記載の自転車用カメラ。
【請求項１３】
前記パッドは、上端から下端へ外見上先細りになっており、前記先細り状態は、前記筐体を垂直に位置合わせするために前記シートポストの角度に対して選択される、請求項１２に記載の自転車用カメラ。
【請求項１４】
前記筐体内に記憶媒体が設けられて、前記カメラによって撮られた画像を記憶する、請求項１〜１３のうちいずれか一項に記載の自転車用カメラ。
【請求項１５】
コネクタは、ケーブルを介して前記記憶媒体からデータを取り出すために前記筐体上に設けられる、請求項１〜１４のうちいずれか一項に記載の自転車用カメラ。
【請求項１６】
前記筐体は、第１の片方の外被および第２の片方の外被を含み、前記第１の片方の外被は透明材料で組み立てられ、前記テールライトおよび表示ライトは、前記第１の片方の外被を通して後方に照明するように位置付けられる、請求項１〜１５のうちいずれか一項に記載の自転車用カメラ。
【請求項１７】
角度センサは、前記自転車の角度が所定の角度を超えるかどうかを検出するように、および、所定の時間周期後前記カメラの記録を停止するように設けられる、請求項１〜１６のうちいずれか一項に記載の自転車用カメラ。
【発明の詳細な説明】
【技術分野】
【０００１】
本発明は、自転車に装着するためのカメラに関する。
【背景技術】
【０００２】
道路を使用する多くのサイクリスト達は車両による偶発的事故に遭遇し、それらの事故は、サイクリストにとって危険な状況をもたらす。かかる偶発的事故に伴って、車両はサイクリストにかなり接近して運転することになり、それによって、車両の進路が妨げられるか、単に乗り手を罵倒する場合がある。事故が実際に生じない場合、これらの偶発的事故の多くに伴って、車両は単に走り去り、当該車両の運転手はそれらの行為についてのいずれの影響からも逃れることになる。
【発明の概要】
【発明が解決しようとする課題】
【０００３】
本発明は、自転車に装着してかかる事態の画像を撮るためのカメラデバイスに関する。当該カメラは、運転手に対してカメラの存在および操作の可視表示を与えるために設けられた特徴と共に、自転車への容易な取り付けを可能にし、かつ、カメラの装着を固定するために設けられた装着配置構成を含む。
【課題を解決するための手段】
【０００４】
本発明の一態様によると、
自転車のシートポストに装着可能な筐体と、
筐体内に設けられたカメラと、
筺体内に設けられたテールライトと、を含み、
筺体がシートポストに固定される時、テールライトによって自転車の後方に向けられた照明がもたらされ、カメラも画像を撮るために自転車の後方に向けられる、自転車用カメラが提供される。
【０００５】
好ましくは、１つまたは複数の表示ライトが筐体に設けられることで、カメラが記録している時、表示ライトが照明する。
【０００６】
好ましい実施形態では、表示ライトは、カメラの周囲に環状に設けられ、円形状パターンで連続的に点滅する。
【０００７】
好ましくは、筐体は、使用時にシートポストから遠隔に位置付けられる第１の側面と、シートポストに隣接して位置付けられる第２の側面とを含み、第２の側面は、筐体がシートポストに固定される時、第１の側面が概して垂直になるように、第１の側面に対してある角度で方向付けられた部分を含む。
【０００８】
好ましくは、第２の側面は、第１の表面部分および第２の表面部分を画定する突出部を含み、第１の表面部分は、筐体の第１の端壁と第２の端壁との間のある場所に対して隣接した筐体の第１の端壁から伸長する平面を含み、第２の表面部分は、第１の表面部分から隣接した第２の端壁へ伸長する平面を含む。
【０００９】
好ましい実施形態では、第１の表面部分および第２の表面部分は、突出部が概して三角柱の形状になるように、第１の側面に対して角度が付けられる。
【００１０】
好ましくは、第１の表面部分は第２の表面部分より長く、それによって、第１の表面部分および第２の表面部分の交点は第１の端壁より第２の端壁に近接する。
【００１１】
好ましい実施形態では、筐体はマウンティングブラケットを備えて筐体をシートポストに固定し、マウンティングブラケットは、シートポストの円形状表面を係合するための凸状の第１の側面と、筐体の第１の表面部分上に設けられた第２のコネクタと係合させるための第１のコネクタを有する対向した第２の側面とを有する部材を含む。
【００１２】
好ましくは、第１のコネクタはマウンティングブラケットの第２の側面上で長手方向に伸長する溝穴を含み、第２のコネクタは筐体の第１の表面部分に装着されるレールを含み、この場合、レールはその対向した長手方向側部に沿った溝を含んで、溝穴の対向した長手方向側部に沿って設けられた内方に面するフランジを受ける。
【００１３】
好ましい実施形態では、マウンティングブラケットはその第２の側面から外方に伸長するつめを備え、複数のストラップが設けられ、それぞれがその長さに沿って開口部を含み、それによって、各ストラップの一番端の開口部はつめのうちの１つに係合可能であり、次いでストラップはシートポストに巻き付けられて、マウンティングブラケットの反対側でつめのうちの１つに係合する。
【００１４】
ストラップは、シートポストの周りで引き伸ばされてマウンティングブラケットを堅固に係合させることができるように、弾性材料から形成されるのが好ましい。
【００１５】
弾力的な弓形パッドは、好ましくは、マウンティングブラケットの第１の側面上に置かれるように設けられる。
【００１６】
好ましくは、パッドは、上端から下端へ外見上先細りになっており、先細り状態は、筐体を垂直に位置合わせするためにシートポストの角度に対して選択される。
【００１７】
好ましくは、筐体内に記憶媒体が設けられて、カメラによって撮られた画像を記憶する。
【００１８】
好ましくは、コネクタは、ケーブルを介して記憶媒体からデータを取り出すために筐体上に設けられる。
【００１９】
一実施形態では、筐体は、第１の片方の外被および第２の片方の外被を含み、第１の片方の外被は透明材料で組み立てられ、テールライトおよび表示ライトは、第１の片方の外被を通して後方に照明するように位置付けられる。
【００２０】
好ましくは、角度センサは、自転車の角度が所定の角度を超えるかどうかを検出するように、および、所定の時間周期後カメラの記録を停止するように設けられる。
【００２１】
ここで、例として、下記の図面を参照して本発明を説明する。
【図面の簡単な説明】
【００２２】
【図１ａ】本発明による、自転車用カメラの上後部透視図である。
【図１ｂ】図１ａの自転車用カメラの上前部透視図である。
【図１ｃ】図１ａの自転車用カメラの下後部透視図である。
【図２ａ】図１の自転車用カメラの上面図である。
【図２ｂ】図１の自転車用カメラの第１の側面図である。
【図２ｃ】図１の自転車用カメラの前面図である。
【図２ｄ】図１の自転車用カメラの第２の側面図である。
【図２ｅ】図１の自転車用カメラの下面図である。
【図３】図１の自転車用カメラの分解図である。
【図４ａ】筐体のマウンティングブラケットの取り付けを示す図１の自転車用カメラの側面図である。
【図４ｂ】マウンティングブラケットが取り付けられた図１の自転車用カメラの側面図である。
【図５ａ】自転車のシートポストに取り付けられた図１の自転車用カメラの前面図である。
【図５ｂ】自転車のシートポストに取り付けられた図１の自転車用カメラの側面図である。
【図５ｃ】自転車のシートポストに取り付けられた図１の自転車用カメラの後面図である。
【図６ａ】自転車用カメラをシートポストに取り付ける際の第１のステップの上部透視図である。
【図６ｂ】自転車用カメラをシートポストに取り付ける際の第２のステップの上部透視図である。
【図６ｃ】自転車用カメラをシートポストに取り付ける際の第３のステップの上部透視図である。
【図６ｄ】シートポストに取り付けられた自転車用カメラの上部透視図である。
【図７ａ】自転車用カメラが取り付けられた自転車の後面図である。
【図７ｂ】図７ａの細部Ｄの近接図である。
【図７ｃ】自転車用カメラが取り付けられた自転車の側面図である。
【図７ｄ】図７ｃの細部Ｂの近接図である。
【図８ａ】マウンティングブラケットに固定された第１のパッドを有する自転車用カメラの上部透視図である。
【図８ｂ】シートポストに固定された図８ａの自転車用カメラの側面図である。
【図８ｃ】マウンティングブラケットに固定された第２のパッドを有する自転車用カメラの上部透視図である。
【図８ｄ】シートポストに固定された図８ｃの自転車用カメラの側面図である。
【図８ｅ】マウンティングブラケットに固定された第３のパッドを有する自転車用カメラの上部透視図である。
【図８ｆ】シートポストに固定された図８ｅの自転車用カメラの側面図である。
【図８ｇ】マウンティングブラケットに固定された第４のパッドを有する自転車用カメラの上部透視図である。
【図８ｈ】シートポストに固定された図８ｇの自転車用カメラの側面図である。
【図９】画像を記憶媒体から取り出しかつ再充電するために筐体に取り付けられたケーブルを示す自転車用カメラの下部透視図である。
【図１０ａ】アダプタを使用してシートポストと係合させる前の自転車用カメラの上面図である。
【図１０ｂ】アダプタによってシートポストに接続された自転車用カメラの上面図である。
【図１０ｃ】アダプタによってシートポストに接続された自転車用カメラの上部透視図である。
【発明を実施するための形態】
【００２３】
図を参照すると、自転車１５のシートポスト１４に固定される筐体１２を含む自転車用カメラ１０が示されている。筐体１２は、概して、使用時にシートポスト１４から遠隔に位置付けられる第１の側面１６と、使用時にシートポスト１４に隣接して位置付けられる第２の側面１７とを含む。
【００２４】
図３において見ることができるように、筐体１２は、第１の片方の外被１８および第２の片方の外被１９を含む。第１の片方の外被１８および第２の片方の外被１９は、筐体１２内にチャンバを画定するように共に固定可能である。第１の片方の外被１８は、概して形状が矩形である第１の側面１６を含む。対向した第１の側壁２０および第２の側壁２１は、第１の側面１６の対向した長手方向側部から概して横方向に伸長し、対向した第１の端壁２２および第２の端壁２３は、第１の側面１６の対向した端部から概して横方向に伸長する。
【００２５】
第２の片方の外被１９も、第２の側面１７の対向した長手方向側部から伸長する第１の側壁２０および第２の側壁２１、ならびに、第２の側面１７の対向した端部から伸長する対向した第１の端壁２２および第２の端壁２３を含む。
【００２６】
筺体１２の第２の側面１７は、図において見ることができるように、第１の側面１６に対してある角度で方向付けられた部分を含む。該角度は、（図５ｂにおいて見ることができるように）筐体１２が、隣接しかつ平行である第２の側面１７の部分によってシートポスト１４に固定される時、第１の側面１６が概して垂直になるようにされる。
【００２７】
示される実施形態における第２の側面１７は、第１の表面部分７２および第２の表面部分７４を画定する突出部７０を含む。第１の表面部分７２は、隣接した第１の端壁２２から第１の端壁２２と第２の端壁２３との間の場所まで伸長する平面を含む。第２の表面部分７４は、第１の表面部分７２から隣接した第２の端壁２３まで伸長する平面を含む。第１の表面部分７２および第２の表面部分７４は、突出部７０の形状が概して三角柱になるように、第１の側面１６に対して角度が付けられる。第１の表面部分７２は、第１の表面部分７２がシートポスト１４に平行かつ隣接して位置付けられる時、第１の側面１６が概して垂直になるように、筐体１２の第１の側面１６に対してある角度で方向付けられる。第１の表面部分７２は、第１の表面部分７２および第２の表面部分７４の交点が第１の端壁２２より第２の端壁２３に近接するように、第２の表面部分７４より長い。
【００２８】
筺体１２は、装着されたカメラ２４を含む。カメラ２４は、筐体１２がシートポスト１４に固定される時、カメラ２４が自転車１５の後方を指し示すように、筐体１２の第１の側面１６に設けられた透き通った窓２５を通して伸長するように装着される。筐体１２は、カメラ２４と接続する記憶媒体も備える。記憶媒体は、カメラ２４によって記録された画像を記憶するために設けられる。記憶媒体は、任意の適したデバイス、例えば、ＳＤまたはマイクロＳＤカードであってよい。カメラ制御回路構成に対してカメラ回路基板６６も設けられる。記憶媒体は、データの取り出しに適したコンピュータに接続するために筐体１２から取り外し可能であってよい。
【００２９】
筺体１２は、映像と共に音声を記録するための関連した音声入力も備える。音声は記憶媒体に記録される。
【００３０】
筺体１２は、１つまたは複数のテールライト２６も備える。テールライト２６は、筐体１２がシートポスト１４に装着される時、テールライト２６が自転車１５の後方を指し示すように、筐体１２の第１の側面１６の外方を照明するように装着される。それによって、テールライト２６は、通常自転車上で使用されるタイプの標準的な後方に面するテールライトとして機能する。示される実施形態では、単一のストロボテールライト２６ａおよびさらなるテールライト２６ｂが設けられている。さらなるテールライト２６ｂは、ストロボテールライト２６ａとは異なるパターンで常に照明可能であるか点滅可能である。テールライト２６は筐体１２内の点灯回路基板５８上に設けられる。第１の片方の外被１８は、テールライト２６が第１の片方の外被１８を通して後方を照明するように、透明材料で組み立てられる。ストロボライト２６ａを反射器２７を通して装着してその有効性を増大させることもできる。
【００３１】
電池パック３４を筐体１２内に設けて、カメラ２４およびテールライト２６の両方ともに電力供給する。電池パック３４は、自転車用カメラ１０が乗車間に再充電可能であるように、再充電可能電池を含むのが好ましい。
【００３２】
ケーブルコネクタ２８も筐体１２上に設けられる。ケーブルコネクタ２８は、（図９に示されるように）適したケーブル３０に接続するために設けられる。ケーブル３０は、電池パック３４を再充電するため、および、記憶媒体から記憶された画像データを取り出すための両方に対して電力供給するための接続を提供する。防水カバー２９を設けて、水の浸入を防止するために乗車する間ケーブルコネクタ２８全体を密封するのが好ましい。
【００３３】
筺体１２は、筐体１２をシートポスト１４に固定するために設けられたマウンティングブラケット３６を備える。マウンティングブラケット３６は、シートポスト１４の円形状表面を係合するための凸状の第１の側面３８と、第１のコネクタ７６を有する対向した第２の側面３９とを有する部材を含む。第１のコネクタ７６は、筐体１２の第１の表面部分７２上に設けられた第２のコネクタ７８に接続するように設けられる。第１のコネクタ７６は、マウンティングブラケット３６の第２の側面３９上で長手方向に伸長する溝穴４０を含む。第２のコネクタ７８は、筐体１２の第２の側面１７に装着されるレール４２を含む。レール４２は、その対向した長手方向側部に沿った溝４３を含み、溝穴４０は、対向した長手方向側部に沿った内方に面するフランジ４１を含む。従って、レール４２を溝穴４０に滑り込ませることによってマウンティングブラケット３６を筐体１２に取り付けることで、図４に示されるように、フランジ４１は溝４３内に係合することができる。従って、筐体１２は要求に応じて自転車１５から除去可能である。
【００３４】
複数のストラップ４４は、マウンティングブラケット３６をシートポスト１４に固定するために設けられる。図６において見ることができるように、ストラップ４４は、その長さに沿って開口部を含む。マウンティングブラケット３６はその対向した縁上に位置付けられるつめ４６も備える。つめ４６は、マウンティングブラケット３６の第２の側面３９から外方に、その対向した長手方向縁上で伸長するように設けられる。一番端の開口部はつめ４６のうちの１つに係合し、次いでストラップ４４はシートポスト１４に巻き付けられて、反対側のつめ４６に係合する。ストラップ４４は、シートポスト１４の周りで引き伸ばされてマウンティングブラケット３６を堅固に係合させることができるように、弾性材料から形成される。
【００３５】
マウンティングブラケット３６は、その第１の側面３８上に置かれる弾力的なパッド４８を備える。パッド４８はまた、シートポスト１４に対して係合するように形状が弓形である。複数のパッド４８を設けることができ、それぞれは上端から下端まで異なる先細り状態を有する。図８はかかるパッド４８を４つ示しており、それぞれ先細りを大きくしている（すなわち、それぞれ下端が肉厚になっている）。従って、最も適したパッド４８は、筐体１２を垂直に位置合わせするために、シートポスト１４の角度に対して選択可能である。
【００３６】
筺体１２はまた、１つまたは複数の表示ライト６２を備える。表示ライト６２は、カメラ２４が記録する時に可視表示するために設けられる。表示ライト６２は、特有の色もしくは色の組み合わせで、および／または、特有の点滅パターンで設けられる。特有のパターンおよび／または色は、自転車１５が事態の画像および音声を記録しているカメラを含むという明確な表示を自転車１５の周りの車両の運転手達に与えるために設けられる。示される実施形態では、カメラ２４の周りに位置付けられる第１のセットの表示ライト６２ａが設けられている。第１のセットの表示ライト６２ａは、カメラ２４の周りに環状に設けられ、かつ、円形状パターンで連続的に点滅するように設定可能であり、第２の表示ライト６２ｂは、点灯回路基板５８上に設けられ、かつ、（自転車上のテールライトとして使用される通常の赤または白のライトと比較して）特有の色、および／または、さらなる特有の連続した点滅を含む。
【００３７】
点灯回路基板５８と第１の片方の外被１８との間に反射板６４も設けられる。反射板６４は、ライト２６および６２、ならびに、カメラ２４のための穴を含み、第１の片方の外被１８の内面に隣接して位置付けられる反射面を含む。
【００３８】
自転車用カメラ１０は、筐体１２の角度（および、自転車１５の角度）が所定の角度を超えるかどうかを検出するために（示されていない）角度センサも備えることができる。角度センサは、自転車１５が所定の時間より長く所定の角度を超えて傾斜する場合、カメラ２４が停止可能であるように、カメラ２４と通信する。角度センサは、例えば、水銀スイッチを含むことができる。乗り手が自転車１５のノッキングを受けた場合、角度センサは、従って、所定の時間後記録を停止することになる。記憶媒体は有限容量しかなく、ループ状に記録するように設定されるようになっているため、これによって、事態に関連するデータの上書きが防止されることになる。
【００３９】
使用時に、自転車用カメラ１０を、自転車１５のシートポスト１４に固定することができる。自転車用カメラ１０は、自転車１５に対して必要とされる後方に面するテールライト２６を提供し、また、自転車１５が移動している間、カメラ２４から明確な写真を得ることができるように、カメラ２４の振動および動きを低減する方法で、シートポスト１４に固定して装着されるカメラ２４も提供する。自転車用カメラ１０は、運転手に対する明確な可視表示も提供され、運転手の行為が記録されている。これによって、運転手に自転車１５の周りの自身の行為を考慮させることが予想される。任意の運転手が安全でない方法で行動する場合、偶発的事故の音声および映像を、事態の証拠として記憶媒体から別のデバイスへダウンロードすることができる。
【００４０】
図１０は、シートポスト１４の後側が弓形以外の形状である場合に使用可能なアダプタ８０を示す。いくつかの自転車では、ティアドロップ形状の断面が使用される場合があり、それによって、シートポスト１４の後面はより尖った形状を有する。アダプタ８０は、その第１の側部に溝穴８２を有する弾力的なチューブ部材を含む。シートポスト１４が溝穴８２で受けられ、弓形の第２の側部がマウンティングブラケット３６の弓形の第１の表面３８に対して係合するように、アダプタ８０の第２の側部は弓形である。
【００４１】
本発明の基本的な発明概念から逸脱することなく、既に記載されたものに加えて、前述の実施形態に種々の修正および改良をなすことができることは、当業者には容易に明らかとなろう。
【図１ａ】
2016511472.tif 000003
【図１ｂ】
2016511472.tif 000004
【図１ｃ】
2016511472.tif 000005
【図２ａ】
2016511472.tif 000006
【図２ｂ】
2016511472.tif 000007
【図２ｃ】
2016511472.tif 000008
【図２ｄ】
2016511472.tif 000009
【図２ｅ】
2016511472.tif 000010
【図３】
2016511472.tif 000011
【図４ａ】
2016511472.tif 000012
【図４ｂ】
2016511472.tif 000013
【図５ａ】
2016511472.tif 000014
【図５ｂ】
2016511472.tif 000015
【図５ｃ】
2016511472.tif 000016
【図６ａ】
2016511472.tif 000017
【図６ｂ】
2016511472.tif 000018
【図６ｃ】
2016511472.tif 000019
【図６ｄ】
2016511472.tif 000020
【図７ａ】
2016511472.tif 000021
【図７ｂ】
2016511472.tif 000022
【図７ｃ】
2016511472.tif 000023
【図７ｄ】
2016511472.tif 000024
【図８ａ】
2016511472.tif 000025
【図８ｂ】
2016511472.tif 000026
【図８ｃ】
2016511472.tif 000027
【図８ｄ】
2016511472.tif 000028
【図８ｅ】
2016511472.tif 000029
【図８ｆ】
2016511472.tif 000030
【図８ｇ】
2016511472.tif 000031
【図８ｈ】
2016511472.tif 000032
【図９】
2016511472.tif 000033
【図１０ａ】
2016511472.tif 000034
【図１０ｂ】
2016511472.tif 000035
【図１０ｃ】
2016511472.tif 000036
【国際調査報告】
2016511472.tif 000037
2016511472.tif 000038
2016511472.tif 000039